【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
圧縮ガス源とともに使用されるロータリーベーンエンジンであって、
ハウジング（４６、３０３、３２３）と、
前記ハウジング（４６、３０３、３２３）の内部に搭載され、前記ハウジング（４６、３０３、３２３）に対して回転軸（Ｔ）周りに回転可能である回転体（４４）と、
を有し、
前記回転体（４４）は、シャフト（４５、３０５、３２５）、前記シャフト（４５、３０５、３２５）に固定され径方向に配置される複数のベーンガイド（５８、３０１、３２１）及び複数のベーン（６２、３０２、３２２）を有し、
前記ベーン（６２、３０２、３２２）は、それぞれ対応する前記ベーンガイド（５８、３０１、３２１）に、少なくとも部分的に配置され、
前記ベーン（６２、３０２、３２２）、前記ベーンガイド（５８、３０１、３２１）及び前記ハウジング（４６、３０３、３２３）が、前記ロータリーベーンエンジンの内部に複数のチャンバー（６８）を定義し、
前記チャンバー（６８）は、前記圧縮ガス源から圧縮ガスを受け取り、
前記圧縮ガスは前記チャンバー（６８）内で膨張し、前記回転体（４４）に回転を与え、
前記回転体（４４）は、前記ハウジング（４６、３０３、３２３）に対して、前記回転体（４４）の回転軸（Ｔ）の実質垂直方向に移動可能であるため、前記ハウジング（４６、３０３、３２３）に対する前記チャンバー（６８）の角度位置における複数の前記チャンバー（６８）のそれぞれの容積は可変であって、前記圧縮ガスの膨張比は可変であって、
前記ハウジング（４６、３０３、３２３）には、入口（５０）及び出口（５２）が形成され、
前記入口（５０）は、前記圧縮ガスを受け取り、前記圧縮ガスを膨張前に前記チャンバー（６８）に送り、
前記圧縮ガスは、膨張後に前記出口（５２）を介して、前記チャンバー（６８）から排出されるロータリーベーンエンジン。
【請求項２】
前記ベーン（６２、３０２、３２２）は、前記ベーン（６２、３０２、３２２）に作用する遠心力及び前記回転体の回転に応じて、それぞれ対応する前記ベーンガイド（５８、３０１、３２１）に対して、径方向の外側及び内側に動けるように、対応する前記ベーンガイド（５８、３０１、３２１）の内部に前記ベーンがスライド可能に配置される請求項１に記載のロータリーベーンエンジン。
【請求項３】
前記ベーン（６２、３０２、３２２）は、先端が丸い形状を有する請求項１または２に記載のロータリーベーンエンジン。
【請求項４】
前記ハウジング（４６、３０３、３２３）にそれぞれ固定された、第１のカバー及び第２のカバー（６４、６６）、（３０６、３０８）、（３２６、３２８）と、
前記第１のカバー（６４、３０６、３２６）、前記ベーンガイド（５８、３０１、３２１）及び前記ベーン（６２、３０２、３２２）の間に配置された第１のリング（６７）と、
前記第２のカバー（６６、３０８、３２８）、前記ベーンガイド（５８、３０１、３２１）及び前記ベーン（６２、３０２、３２２）の間に配置された第２のリング（６７）と、を有する請求項１〜３のいずれか１項に記載のロータリーベーンエンジン。
【請求項５】
前記リング（６７）は、前記リング（６７）を前記ベーン（６２、３０２、３２２）及び前記ベーンガイド（５８、３０１、３２１）に向かって偏らせるばね（７１）が搭載されている請求項４に記載のロータリーベーンエンジン。
【請求項６】
前記ベーン（６２、３０２、３２２）は、前記ベーンガイド（５８、３０１、３２１）に対して、径方向の外側に偏らされている請求項１〜５のいずれか１項に記載のロータリーベーンエンジン。
【請求項７】
前記ハウジング（４６、３０３、３２３）には、前記出口（５２）と前記入口（５０）の間に円周上に配置される１つ以上の通気口（５６）が形成されている請求項１〜６のいずれか１項に記載のロータリーベーンエンジン。
【請求項８】
前記ハウジング（４６、３０３、３２３）には、前記出口（５２）と前記入口（５０）の間に円周上に配置される１つ以上の開口部（５７）が形成され、
前記通気口（５６）及び前記開口部（５７）と流体連結されるマニホールド（８９）と、
前記マニホールド（８９）に前記圧縮ガスを１つ以上の前記通気口（５６）から１つ以上の前記開口部（５７）へ送らせるコントローラー（７６）と、を有する請求項７に記載のロータリーベーンエンジン。
【請求項９】
前記ベーン（６２、３０２、３２２）及び前記ベーンガイド（５８、３０１、３２１）は、前記シャフト（４５、３０５、３２５）の中心線に対して、それぞれの長手方向が傾いている請求項１〜８のいずれか１項に記載のロータリーベーンエンジン。
【請求項１０】
前記ハウジング（４６、３０３、３２３）及び前記回転体（４４）は、１つ以上の自己潤滑性材料から形成されている請求項１〜９のいずれか１項に記載のロータリーベーンエンジン。
【請求項１１】
前記ハウジング（４６、３０３、３２３）と前記回転体（４４）は、１つ以上の潤滑機能を有する非自己潤滑性材料形から形成される請求項１〜９のいずれか１項に記載のロータリーベーンエンジン。
【請求項１２】
前記回転体（４４）を前記ハウジング（４６、３０３、３２３）に対して回転軸（Ｔ）の実質垂直な方向に動かすために、前記回転体（４４）と前記ハウジング（４６、３０３、３２３）に機械的に連結された、油圧アクチュエーター、ねじジャッキ、空気圧シリンダー、カム、ランプ及びローブのうち少なくとも１つをさらに有する請求項１〜１１のいずれか１項に記載のロータリーベーンエンジン。
【請求項１３】
前記回転体を前記ハウジングに対して要求される位置に配置するように、前記油圧アクチュエーター（７４）、前記ねじジャッキ、前記空気圧シリンダー、前記カム、前記ランプ及び前記ローブのうち少なくとも１つを制御するコントローラー（７６）をさらに有する請求項１２に記載のロータリーベーンエンジン。
【請求項１４】
前記回転体（４４）をカンチレバーで支持する軸受（７２）をさらに有する請求項１〜１３のいずれか１項に記載のロータリーベーンエンジン。
【請求項１５】
前記ハウジング（３０３）に固定された第１のカバー（３０６）及び第２のカバー（３０７）をさらに有し、
前記ベーン（３０２）は、実質台形の形状を有する上部（３０４）を有し、
前記第１、第２のカバー（３０６、３０７）の向きは、前記ベーン（３０２）に設けられた前記上部（３０４）の前方部及び後方部の向きがそれぞれ実質同一となるように傾けられ、前記ベーン（３０２）の前方部、後方部及び側方部と、第１のカバー（３０６）、第２のカバー（３０８）及びハウジング（３０３）の隣接する表面と、が摩耗する際に生じる遠心力のために、ベーン（３０２）の前方部、後方部及び側方部は、第１のカバー（３０６）、第２のカバー（３０８）及びハウジング（３０３）の隣接する表面と接触したままの状態に維持でき、それによってベーン（３０２）、第１のカバー（３０６）、第２のカバー（３０８）及びハウジング（３０３）との間のシール性を維持できる請求項１〜１４のいずれか１項に記載のロータリーベーンエンジン。
【請求項１６】
前記ハウジング（３２３）に固定された第１のカバー（３２６）及び第２のカバー（３２８）をさらに有し、
前記ベーン（３２０）は、それぞれ、第１部分（３３０）と、第１部分（３３０）の内部に部分的に配置される第２部分（３３２）とを有し、
前記第２部分（３３２）は、前記第１部分（３３０）から偏らされているために、前記第１部分（３３０）及び前記第２部分（３３２）の端部と、前記第１のカバー（３２６）と前記第２のカバー（３２８）の隣接する表面が摩耗するときに、前記第１部分（３３０）及び第２部分（３３２）の端部は、対応する前記第１のカバー（３２６）と前記第２のカバー（３２８）の隣接する表面と接触したままの状態になることによって、前記ベーン（３２０）、前記第１カバー（３２３）及び前記第２カバー（３２８）の間のシール性が維持される請求項１〜１４のいずれか１項に記載のロータリーベーンエンジン。
【請求項１７】
ハウジング（４６、３０３、３２３）と、
前記ハウジング（４６、３０３、３２３）の内部に搭載された回転体（４４）と、
シャフト（４５、３０５、３２５）と、
前記シャフト（４５、３０５、３２５）に搭載された複数のベーン（６２、３０２、３２２）と、を有し、
前記ベーン（６２、３０２、３２２）と前記ハウジング（４６、３０３、３２３）とから定義され、圧縮ガスを膨張することで前記回転体（４４）に回転を与える複数のチャンバー（６８）と、を有し、
前記シャフト（４５、３０５、３２５）の中心線は、前記ハウジング（４６、３０３、３２３）に対して、前記ハウジング（４６、３０３、３２３）の中心線の実質垂直な方向に移動可能であるため、前記チャンバー（６８）の角度位置における前記チャンバー（６８）のそれぞれの容積は可変であって、前記圧縮ガスの膨張比は可変であって、
前記ハウジング（４６、３０３、３２３）には、入口（５０）及び出口（５２）が形成され、
前記入口（５０）は、前記圧縮ガスを受け取り、前記圧縮ガスを膨張前に前記チャンバー（６８）に送り、
前記圧縮ガスは、膨張後に前記出口（５２）を介して、前記チャンバー（６８）から排出されるロータリーベーンエンジン。
【請求項１８】
ハウジング（４６、３０３、３２３）と、
前記ハウジング（４６、３０３、３２３）の内部に搭載され、前記ハウジング（４６、３０３、３２３）に対して回転軸（Ｔ）周りに回転可能である回転体（４４）と、を有し、
前記回転体（４４）はシャフト（４５、３０５、３２５）と、
前記シャフト（４５、３０５、３２５）に搭載される複数のベーン（６２、３０２、３２２）と、を有し、
前記ベーン（６２、３０２、３２２）及び前記ハウジング（４６、３０３、３２３）は、前記チャンバー（６８）内で膨張して前記回転体（４４）に回転を与える圧縮ガスを受け取るための容積を有する複数のチャンバー（６８）を定義し、
前記ハウジング（４６、３０３、３２３）には、入口（５０）及び出口（５２）が形成され、
前記入口（５０）は、前記圧縮ガスを受け取り、前記圧縮ガスを膨張前に前記チャンバー（６８）に送り、
前記圧縮ガスは、膨張後に前記出口（５２）を介して、前記チャンバー（６８）から排出され、
前記回転体（４４）を前記回転軸（Ｔ）と実質垂直な方向に動かして、前記チャンバー（６８）の容積を前記ハウジング（４６、３０３、３２３）に対する前記チャンバー（６８）の角度位置に対応して変えられるように、かつ前記圧縮ガスの膨張比を変えられるように、前記回転体（４４）と連結された、油圧アクチュエーター、ねじジャッキ、空気圧シリンダー、カム、ランプ及びローブのうち少なくとも１つをさらに有するロータリーベーンエンジン。